(57)【要約】【課題】洗濯兼脱水槽内の水位を正しく検知して工程を制御する洗濯機を提供すること。【解決手段】表示操作手段１０にて選択された運転コースの進行に伴い、水位検知手段１２を構成する部品の温度の上昇を類推し、その類推した温度に基づいて、水位検知手段１２が出力するパルスを変更して水位周波数を補正し水位検知を行う構成とすることにより、水位検知手段１２を構成する部品の温度変動特性を考慮し、水位周波数の補正を行うことで、水位検知精度を向上させ、信頼性を高めることができる。【選択図】図４
2017018190.tif 000002
【特許請求の範囲】
【請求項１】
洗濯物を収容する洗濯兼脱水槽と、前記洗濯兼脱水槽を回転自在に内包する水槽と、前記洗濯兼脱水槽を回転駆動する駆動手段と、前記水槽内に給水する給水弁と、前記水槽側壁下部に構成したエアートラップの空気室からの水圧にて前記洗濯兼脱水槽内の水位を検知する水位検知手段と、各種の入力設定および表示を行なう表示操作手段と、時間測定を行う計時手段と、前記水位検知手段の情報に基づいて、出力パルスを水位周波数として換算し、前記給水弁などを制御し、洗い、すすぎ、脱水の一連の工程を逐次制御する制御手段を有する制御装置とを備え、前記制御手段は、前記表示操作手段にて選択されスタートされた後、洗い工程、すすぎ工程における給水工程において、前記計時手段により計時したその運転コースの運転時間より前記制御装置を構成する水位検知回路部品の温度を類推し、その類推した温度に基づいて、前記水位検知手段が出力するパルスを変更して水位周波数を補正し水位検知を行う洗濯機。
【請求項２】
洗濯物を収容する洗濯兼脱水槽と、前記洗濯兼脱水槽を回転自在に内包する水槽と、前記洗濯兼脱水槽を回転駆動する駆動手段と、前記水槽内に給水する給水弁と、前記水槽側壁下部に構成したエアートラップの空気室からの水圧にて前記洗濯兼脱水槽内の水位を検知する水位検知手段と、各種の入力設定および表示を行なう表示操作手段と、時間測定を行う計時手段と、前記水位検知手段の情報に基づいて、出力パルスを水位周波数として換算し、前記給水弁などを制御し、洗い、すすぎ、脱水の一連の工程を逐次制御する制御手段を有する制御装置とを備え、前記制御手段は、前記表示操作手段にて選択された運転コースを運転する時に、前記計時手段にて前回運転終了した時点からの経過時間を測定し、その経過時間が所定の時間以下の場合は、経過時間により前記制御装置を構成する水位検知回路部品の温度を類推し、その類推した温度に基づいて、水位検知手段が出力するパルスを変更して水位周波数を補正し水位検知を行う洗濯機。
【請求項３】
洗濯物を収容する洗濯兼脱水槽と、前記洗濯兼脱水槽を回転自在に内包する水槽と、前記洗濯兼脱水槽を回転駆動する駆動手段と、前記水槽内に給水する給水弁と、前記水槽側壁下部に構成したエアートラップの空気室からの水圧にて前記洗濯兼脱水槽内の水位を検知する水位検知手段と、各種の入力設定および表示を行なう表示操作手段と、温度を検知する温度検知手段と、前記水位検知手段の情報に基づいて、出力パルスを水位周波数として換算し、前記給水弁などを制御し、洗い、すすぎ、脱水の一連の工程を逐次制御する制御手段を有する制御装置とを備え、前記制御手段は、前記温度検知手段にて前記制御装置を構成する水位検知回路部品の温度を検知し、その検知した温度に基づいて、水位検知手段が出力するパルスを変更して水位周波数を補正し水位検知を行う洗濯機。
【発明の詳細な説明】
【技術分野】
【０００１】
本発明は、洗濯兼脱水槽内の水位を検知して工程を制御する洗濯機に関するものである。
【背景技術】
【０００２】
従来、この種の洗濯機は、水槽の下部外周に設けたエアートラップ部に連接された水位検知手段にて洗濯水の水圧を検知することにより、洗濯兼脱水槽内の水位を検知し制御する構成が提案されてきた（例えば、特許文献１参照）。
【０００３】
図１１は、特許文献１に記載された洗濯機の縦断面図である。
【０００４】
図１１において、洗濯兼脱水槽４１を回転自在に内包する水槽４３は吊り棒４４により外箱４５に吊り下げられている。洗濯兼脱水槽４１の中央内底部には洗濯物５４を攪拌するパルセータ４２が左右回転自在に設けてある。
【０００５】
パルセータ４２と洗濯兼脱水槽４１は、モータ４６からベルト４７を介して伝達される動力により回転する。パルセータ４２と洗濯兼脱水槽４１のどちらを回転動作させるか切替え、またモータ４６からの動力を適切な回転数に減速調節するクラッチ４８が、モータ４６とパルセータ４２および洗濯兼脱水槽４１の間に設けてある。
【０００６】
また、外箱４５の上部後方には水槽４３へ給水を行う給水弁５２が設けてあり、水槽４３の底部には排水を行う排水弁５６が設けてあり、排水弁５６の開動作により水槽４３内の洗濯水を外部へ排水する。
【０００７】
水槽４３の下部外周には、連通孔部５９を介して水槽４３内と連通する空気室５８を有するエアートラップ５０が形設され、上部の水位センサ４９とエアーチューブ５７にて接続されている。
【０００８】
洗い工程、すすぎ工程において水槽４３に給水弁５２により給水された時には、空気室５８には空気があるために、空気室５８内部では連通孔部５９の上端面から所定寸法面までしか水は入ってこない。そして、空気室５８内の圧力を水位検知手段である圧力センサ４９が検知することにより、洗濯兼脱水槽４１の水位が検知され、その水位に対応して制御装置５１が給水弁５２をＯＮ、ＯＦＦして、洗濯兼脱水槽４１内の給水を制御するものである。
【０００９】
また、水位検知手段としては、圧力センサ４９とマイクロコンピュータを有する制御装置５１で構成されており、圧力センサ４９に使用されるコイル（図示せず）は制御装置５１内にある発振回路（図示せず）の一部を構成しており、インダクタンス変化を周波数変化に変換するようになっている。
【００１０】
水槽４３に設けられたエアートラップ５０にかかる水圧に応じて、コイルのインダクタンスが変化することにより、水位検知手段内の発振出力が変化する。このように水位（圧力）と発振出力の周波数との間に一定の関係があるので制御装置５１は発振周波数を水位周波数と換算することで、水位検知を行っている。
【先行技術文献】
【特許文献】
【００１１】
【特許文献１】特開平１０−１９２５８７号公報
【発明の概要】
【発明が解決しようとする課題】
【００１２】
しかしながら、前記従来の構成では、制御装置内にある発振回路の温度特性の影響から、水位周波数が変化し、水槽の水位が十分な水位に達する前に周波数は規定値に到達して給水動作を完了してしまうという課題があった。
【００１３】
本発明は、前記従来の課題を解決するもので、水位検知手段が構成している発振回路部品の温度特性条件に応じて水位周波数の補正を行うことで、水位検知精度を向上させ、信頼性を高めた洗濯機を提供することを目的としている。
【課題を解決するための手段】
【００１４】
前記従来の課題を解決するために、本発明の洗濯機は、洗濯物を収容する洗濯兼脱水槽と、前記洗濯兼脱水槽を回転自在に内包する水槽と、前記洗濯兼脱水槽を回転駆動する駆動手段と、前記水槽内に給水する給水弁と、前記水槽側壁下部に構成したエアートラップの空気室からの水圧にて前記洗濯兼脱水槽内の水位を検知する水位検知手段と、各種の入力設定および表示を行なう表示操作手段と、温度を検知する温度検知手段と、前記水位検知手段の情報に基づいて、出力パルスを水位周波数として換算し、前記給水弁などを制御し、洗い、すすぎ、脱水の一連の工程を逐次制御する制御手段を有する制御装置とを備え、前記制御手段は、前記温度検知手段にて前記制御装置を構成する水位検知回路部品の温度を検知し、その検知した温度に基づいて、水位検知手段が出力するパルスを変更して水位周波数を補正し水位検知を行う構成としたものである。
【００１５】
これによって、水位検知手段を構成する部品の温度変動特性を考慮し、水位周波数の補正を行うことにより、水位検知精度を向上させ、信頼性を高めることができる。
【発明の効果】
【００１６】
本発明の洗濯機は、水位検知手段を構成する部品の温度変動特性を考慮し、水位周波数の補正を行うことにより、水位検知精度を向上させ、信頼性を高めることができる。
【図面の簡単な説明】
【００１７】
【図１】本発明の実施の形態１における洗濯機の断面図
【図２】同洗濯機の水位検知手段部の要部断面図
【図３】同洗濯機のブロック回路図
【図４】同洗濯機の給水工程の制御アルゴリズムを示すフローチャート
【図５】同洗濯機の運転時間と水位検知手段を構成する回路部品の温度特性を示す図
【図６】同洗濯機の雰囲気温度別の水位と周波数の関係を示す図
【図７】本発明の実施の形態２における洗濯機の給水工程の制御アルゴリズムを示すフローチャート
【図８】同洗濯機の運転終了後の経過時間と水位検知手段を構成する回路部品の温度特性を示す図
【図９】本発明の実施の形態３における洗濯機のブロック回路図
【図１０】同洗濯機の給水工程の制御アルゴリズムを示すフローチャート
【図１１】従来の洗濯機の縦断面図
【発明を実施するための形態】
【００１８】
第１の発明は、洗濯物を収容する洗濯兼脱水槽と、前記洗濯兼脱水槽を回転自在に内包する水槽と、前記洗濯兼脱水槽を回転駆動する駆動手段と、前記水槽内に給水する給水弁と、前記水槽側壁下部に構成したエアートラップの空気室からの水圧にて前記洗濯兼脱水
槽内の水位を検知する水位検知手段と、各種の入力設定および表示を行なう表示操作手段と、時間測定を行う計時手段と、前記水位検知手段の情報に基づいて、出力パルスを水位周波数として換算し、前記給水弁などを制御し、洗い、すすぎ、脱水の一連の工程を逐次制御する制御手段を有する制御装置とを備え、前記制御手段は、前記表示操作手段にて選択されスタートされた後、洗い工程、すすぎ工程における給水工程において、前記計時手段により計時したその運転コースの運転時間より前記制御装置を構成する水位検知回路部品の温度を類推し、その類推した温度に基づいて、前記水位検知手段が出力するパルスを変更して水位周波数を補正し水位検知を行う洗濯機とすることにより、水位検知手段を構成する部品の温度変動特性を考慮し、水位周波数の補正を行うことで、水位検知精度を向上させ、信頼性を高めることができる。
【００１９】
第２の発明は、洗濯物を収容する洗濯兼脱水槽と、前記洗濯兼脱水槽を回転自在に内包する水槽と、前記洗濯兼脱水槽を回転駆動する駆動手段と、前記水槽内に給水する給水弁と、前記水槽側壁下部に構成したエアートラップの空気室からの水圧にて前記洗濯兼脱水槽内の水位を検知する水位検知手段と、各種の入力設定および表示を行なう表示操作手段と、時間測定を行う計時手段と、前記水位検知手段の情報に基づいて、出力パルスを水位周波数として換算し、前記給水弁などを制御し、洗い、すすぎ、脱水の一連の工程を逐次制御する制御手段を有する制御装置とを備え、前記制御手段は、前記表示操作手段にて選択された運転コースを運転する時に、前記計時手段にて前回運転終了した時点からの経過時間を測定し、その経過時間が所定の時間以下の場合は、経過時間により前記制御装置を構成する水位検知回路部品の温度を類推し、その類推した温度に基づいて、水位検知手段が出力するパルスを変更して水位周波数を補正し水位検知を行う洗濯機とすることにより、水位検知手段を構成する部品の温度変動特性を考慮し、水位周波数の補正を行うことで、水位検知精度を向上させ、信頼性を高めることができる。
【００２０】
第３の発明は、洗濯物を収容する洗濯兼脱水槽と、前記洗濯兼脱水槽を回転自在に内包する水槽と、前記洗濯兼脱水槽を回転駆動する駆動手段と、前記水槽内に給水する給水弁と、前記水槽側壁下部に構成したエアートラップの空気室からの水圧にて前記洗濯兼脱水槽内の水位を検知する水位検知手段と、各種の入力設定および表示を行なう表示操作手段と、温度を検知する温度検知手段と、前記水位検知手段の情報に基づいて、出力パルスを水位周波数として換算し、前記給水弁などを制御し、洗い、すすぎ、脱水の一連の工程を逐次制御する制御手段を有する制御装置とを備え、前記制御手段は、前記温度検知手段にて前記制御装置を構成する水位検知回路部品の温度を検知し、その検知した温度に基づいて、水位検知手段が出力するパルスを変更して水位周波数を補正し水位検知を行う洗濯機とすることにより、水位検知手段を構成する部品の温度変動特性を考慮し、水位周波数の補正を行うことで、水位検知精度を向上させ、信頼性を高めることができる。
【００２１】
以下、本発明の実施の形態について、図面を参照しながら説明する。なお、この実施の形態によって本発明が限定されるものではない。
【００２２】
（実施の形態１）
図１は、本発明の実施の形態１における洗濯機の縦断面図、図２は、同洗濯機の水位検知手段部の要部断面図、図３は、同洗濯機のブロック回路図である。
【００２３】
図１、図２、図３において、筐体１が複数の吊り棒２により水槽３を弾性的に支えている。水槽３の内部には、その底部において回転自在に取り付けられた洗濯兼脱水槽４があり、その中央内底部には洗濯物２０を攪拌するパルセータ５が左右回転自在に設けてある。
【００２４】
パルセータ５と洗濯兼脱水槽４は、モータ（駆動手段）６からベルト１８を介して伝達
される動力により回転する。パルセータ５と洗濯兼脱水槽４のどちらを回転動作させるか切替え、またモータ６からの動力を適切な回転数に減速調節するクラッチ７が、モータ６とパルセータ５および洗濯兼脱水槽４の間に設けてある。
【００２５】
また、筐体１の上部後方には水槽３へ給水を行う給水弁８が設けてあり、水槽３の底部には排水を行う排水弁９が設けてあり、排水弁９の開動作により水槽３内の洗濯水を外部へ排水する。
【００２６】
また、筐体１の上部前方には、運転コースなど各種の入力設定を行ない、設定内容や進行状況などを表示する表示操作手段１０が配設されている。
【００２７】
そして、表示操作手段１０の内方には、モータ６、クラッチ７、給水弁８、排水弁９、表示操作手段１０を制御し、洗い、すすぎ、脱水の一連の工程を逐次制御する制御手段２５を有する制御装置１１が設けられている。
【００２８】
また、水槽３の外周側壁下部には、水槽３内部と連通するエアートラップ１９が構成されており、エアーチューブ２４にて圧力センサなどで構成された水位検知手段１２に連接している。
【００２９】
水位検知手段１２は、圧力センサと制御手段２５を有する制御装置１１で構成されており、圧力センサに使用しているコイル（図示せず）は制御装置１１内にある発振回路（図示せず）の一部を構成しており、インダクタンス変化を周波数変化に変換するようにしている。水槽３に設けられたエアートラップ１９にかかる水圧に応じて、コイルのインダクタンスが変化することにより、水位検知手段１２内の発振出力が変化し、洗濯兼脱水槽４内の洗濯水の複数段の水位を検知することが出来る。
【００３０】
制御装置１１の制御手段２５は、マイクロコンピュータなどで構成し、商用電源から、電力が供給されて動作を始め、洗濯兼脱水槽４内の水位を検知して水量を計測する水位検知手段１２、洗濯兼脱水槽４内の衣類の布量を検知する布量検知手段１３、モータ６の回転数から洗濯兼脱水槽４の回転数を検知する回転数検知手段１４、時間測定を行う計時手段１５、各種の設定内容や検知、測定結果を記憶する記憶手段１７の出力を入力し、表示操作手段１０にて使用者の入力により設定された内容に基づいて、表示手段（図示せず）に設定内容を表示するとともに、双方向サイリスタ、リレーなどで構成した負荷駆動手段１６を介して、上述のようにモータ６、クラッチ７、給水弁８、排水弁９、表示操作手段１０などの動作を制御し、洗い、すすぎ、脱水の各工程を制御する。なお、動作になんらかの異常があった場合も、表示手段にて報知する。また、入力設定手段（図示せず）と表示手段とで、表示操作手段１０を構成している。
【００３１】
なお、記憶手段１７の例としては、マイクロコンピュータなどで構成された制御手段２５に内蔵された、あるいは、外部に外付けされたフラッシュメモリなどの不揮発性記憶装置が挙げられる。
【００３２】
以上のように構成した洗濯機について、以下、その動作、作用を説明する。
【００３３】
図４は、本発明の実施の形態１における洗濯機の給水工程の制御アルゴリズムを示すフローチャート、図５は、同洗濯機の運転時間と水位検知手段を構成する回路部品の温度特性を示す図、図６は、同洗濯機の雰囲気温度別の水位と周波数の関係を示す図である。
【００３４】
図４において、記憶手段１７は、使用者が表示操作手段１０にて選択した運転コースのスタートからの運転時間を随時記憶する。運転開始後、次回の給水工程（すすぎ工程にお
ける給水工程）において、制御手段２５は、記憶手段１７に記憶されたこれまでの運転時間を確認する（ステップＳ１）。
【００３５】
これは、スタートした運転コースの進行に伴い、水位検知手段１２を構成する部品の温度が上がっており、その温度特性により水位周波数が変化して正しい検知ができないためである。図５の回路部品の温度特性を示す図において、運転時間により回路部品の温度が上昇しているのが分かる。
【００３６】
次に、制御手段２５は、運転時間に応じた水位検知手段１２を構成する回路部品の温度上昇特性を記憶保持しているので、確認した運転時間から水位検知手段１２を構成する部品が現在どの程度温度上昇しているかを換算する（ステップＳ２）。
【００３７】
そして、現在の回路部品の温度上昇を得た制御手段２５は、標準温度（例えば、２０℃）時の水位周波数と、温度上昇時（例えば、４０℃）の水位周波数とを比較演算し、その結果得られた差分に応じて水位周波数を補正して変更する（ステップＳ３）。
【００３８】
図６は、雰囲気温度別の水位と周波数の関係を示した図で、３段階の温度の例を示しているが、例えば水位３００ｍｍとした時、２０℃では水位周波数が約３７５０Ｈｚであるが、４０℃では約３６９０ＨｚとΔＳ＝約６０Ｈｚ異なっており、４０℃の時に２０℃の特性で検知すると、同じ周波数では約５０ｍｍ水位が低くなってしまうことになる。このため、温度に応じて水位周波数を補正する必要がある。ここでは、図６には３段階の温度別データしか示していないが、細かい温度別のデータを保有しているのは言うまでもない。
【００３９】
水位周波数を補正すると、ステップＳ４にて水位周波数を確定し、その補正した水位周波数に到達すると（ステップＳ５）、給水を停止して給水工程が完了する。
【００４０】
以上のように、本実施の形態１においては、表示操作手段１０にて選択された運転コースの運転時間の進行より制御装置１１を構成する水位検知回路部品の温度を類推し、その類推した温度に基づいて、運転開始後、次回の給水工程（すすぎ工程における給水工程）において、水位検知手段１２が出力するパルスを変更して水位周波数を補正し水位検知を行う構成とすることにより、水位検知手段１２を構成する部品の温度変動特性を考慮し、水位周波数の補正を行うことで、水位検知精度を向上させ、信頼性を高めることができる。
【００４１】
（実施の形態２）
図７は、本発明の実施の形態３における洗濯機の給水工程の制御アルゴリズムを示すフローチャート、図８は、同洗濯機の運転終了後の経過時間と水位検知手段を構成する回路部品の温度特性を示す図である。なお、給水工程の制御アルゴリズム以外については、実施の形態１と同じであり、詳細な説明は省略する。
【００４２】
図７、図８において、制御手段２５は、使用者が表示操作手段１０にて選択した運転コースをスタートすると、まず計時手段１５によって前回コース運転を終了して停止した時間から今回運転開始時までの時間を測定する（ステップＳ１１）。
【００４３】
そして、ステップＳ１２にて、その測定した時間があらかじめ設定された所定の時間以下かどうかを判断する。時間が所定時間以上であった場合（ステップＳ１２のＮＯ）は、給水工程を開始するが、所定の時間以下だった場合（ステップＳ１２のＹＥＳ）は、前回運転後の経過時間で制御装置１１の水位検知回路部品の温度を類推し、その温度により標準温度（例えば、２０℃）時の水位周波数との差分を補正する（ステップＳ１３）。
【００４４】
水位周波数を補正すると、ステップＳ１４にて水位周波数を確定し、洗い工程の給水工程を開始する。
【００４５】
以上のように、本実施の形態２においては、表示操作手段１０にて選択された運転コースを運転する時に、計時手段１５にて前回運転終了した時点からの経過時間を測定し、その経過時間が所定の時間以下の場合は、経過時間により制御装置１１を構成する水位検知回路部品の温度を類推し、その類推した温度に基づいて、水位検知手段１２が出力するパルスを変更して水位周波数を補正し水位検知を行う構成とすることにより、水位検知手段１２を構成する部品の温度変動特性を考慮し、水位周波数の補正を行うことで、水位検知精度を向上させ、信頼性を高めることができる。
【００４６】
（実施の形態３）
図９は、本発明の実施の形態３における洗濯機のブロック回路図、図１０は、同洗濯機の給水工程の制御アルゴリズムを示すフローチャートである。なお、ブロック回路図および給水工程の制御アルゴリズム以外については、実施の形態１と同じであり、詳細な説明は省略する。
【００４７】
図９において、制御装置１１の制御手段２５は、マイクロコンピュータなどで構成し、商用電源から、電力が供給されて動作を始め、洗濯兼脱水槽４内の水位を検知して水量を計測する水位検知手段１２、洗濯兼脱水槽４内の衣類の布量を検知する布量検知手段１３、モータ６の回転数から洗濯兼脱水槽４の回転数を検知する回転数検知手段１４、各種の設定内容や検知、測定結果を記憶する記憶手段１７、制御装置１１内部の温度を検知する温度検知手段２６の出力を入力し、表示操作手段１０にて使用者の入力により設定された内容に基づいて、表示手段（図示せず）に設定内容を表示するとともに、双方向サイリスタ、リレーなどで構成した負荷駆動手段１６を介して、上述のようにモータ６、クラッチ７、給水弁８、排水弁９、表示操作手段１０などの動作を制御し、洗い、すすぎ、脱水の各工程を制御する。なお、動作になんらかの異常があった場合も、表示手段にて報知する。また、入力設定手段（図示せず）と表示手段とで、表示操作手段１０を構成している。
【００４８】
なお、記憶手段１７の例としては、マイクロコンピュータなどで構成された制御手段２５に内蔵された、あるいは、外部に外付けされたフラッシュメモリなどの不揮発性記憶装置が挙げられる。
【００４９】
以上のように構成した洗濯機について、以下、その動作、作用を説明する。
【００５０】
図７において、制御手段２５は、使用者が表示操作手段１０にて選択しスタートした運転コースの洗い工程の給水開始時に、サーミスタなどの温度検知手段２６により、制御装置１１内の雰囲気の温度を検知する（ステップＳ２１）。
【００５１】
そして、ステップＳ２２にて、標準温度（例えば、２０℃）時の水位周波数と、検知した温度時（例えば、４０℃）の水位周波数とを比較演算し、その結果得られた差分に応じて水位周波数を補正して変更する（図６参照）。
【００５２】
水位周波数を補正すると、ステップＳ２３にて水位周波数を確定し、その補正した水位周波数に到達すると（ステップＳ２４）、給水を停止して給水工程が完了する。
【００５３】
なお、本実施の形態２では、温度検知手段２６は、制御装置１１内の雰囲気中に配置しているが、水位検知手段１２の回路基板上に配置しても良い。
【００５４】
以上のように、本実施の形態３においては、温度検知手段２６にて制御装置１１を構成する水位検知回路部品の温度を検知し、その検知した温度に基づいて、水位検知手段１２が出力するパルスを変更して水位周波数を補正し水位検知を行う構成とすることにより、水位検知手段１２を構成する部品の温度変動特性を考慮し、水位周波数の補正を行うことで、水位検知精度を向上させ、信頼性を高めることができる。
【産業上の利用可能性】
【００５５】
以上のように、本発明にかかる洗濯機は、給水工程時に、制御装置の水位検知手段を構成する回路部品の温度を検知して、水位周波数を補正して変更し水位検知を行うことにより、水位検知精度を向上させ、信頼性を高めることができるので、ドラム式洗濯機を含めた他の洗濯機および食器洗い乾燥機等の用途にも適用できる。
【符号の説明】
【００５６】
１  筐体
３  水槽
４  洗濯兼脱水槽
５  パルセータ
６  モータ（駆動手段）
８  給水弁
１０  表示操作手段
１１  制御装置
１２  水位検知手段
１５  計時手段
１７  記憶手段
１９  エアートラップ
２５  制御手段
２６  温度検知手段
【図１】
2017018190.tif 000003
【図２】
2017018190.tif 000004
【図３】
2017018190.tif 000005
【図４】
2017018190.tif 000006
【図５】
2017018190.tif 000007
【図６】
2017018190.tif 000008
【図７】
2017018190.tif 000009
【図８】
2017018190.tif 000010
【図９】
2017018190.tif 000011
【図１０】
2017018190.tif 000012
【図１１】
2017018190.tif 000013